(57)【要約】【課題】低アイドル電流で、かつ、低歪な高周波電力増幅器を提供する。【解決手段】高周波電力増幅器１０は、入力信号を増幅する増幅用トランジスタＱ１１と、バイアス回路１５と、高周波通過回路１６とを備え、バイアス回路１５は、一端が電源Ｖｂｂに接続される抵抗Ｒ２３と、ベースが抵抗Ｒ２３の他端に接続され、コレクタが電源Ｖｃｃに接続され、エミッタが増幅用トランジスタＱ１１のベースに接続され、直流電流を増幅用トランジスタＱ１１のベースに供給するトランジスタＱ２１と、ベースがトランジスタＱ２１のベースに接続され、コレクタが電源Ｖｃｃに接続されるトランジスタＱ２３と、ベースがトランジスタＱ２３のエミッタに接続され、コレクタがトランジスタＱ２３のベースに接続され、エミッタが接地されるトランジスタＱ２２とを有し、高周波通過回路１６は、トランジスタＱ２２のベースに入力信号の一部を出力する。【選択図】図１
2011004174.tif 000002
【特許請求の範囲】
【請求項１】
入力信号を増幅する第１トランジスタと、前記第１トランジスタのベースに直流電流を供給するバイアス回路とを有する増幅回路と、
前記入力信号の一部を通過させ、前記バイアス回路に出力する高周波通過回路とを備え、
前記バイアス回路は、
一端が第１電源に接続される第１抵抗と、
ベースが前記第１抵抗の他端に接続され、コレクタが第２電源に接続され、エミッタが前記第１トランジスタのベースに接続され、前記直流電流を前記第１トランジスタのベースに供給する第２トランジスタと、
ベースが前記第２トランジスタのベースに接続され、コレクタが前記第２電源に接続される第３トランジスタと、
ベースが前記第３トランジスタのエミッタに接続され、コレクタが前記第３トランジスタのベースに接続され、エミッタが接地される第４トランジスタとを有し、
前記高周波通過回路は、
前記第４トランジスタのベースに前記入力信号の一部を出力する
高周波電力増幅器。
【請求項２】
前記高周波電力増幅器は、前段の出力を後段の入力とする多段構成を形成する複数の前記増幅回路を備え、
前記高周波通過回路は、複数の前記増幅回路のうちの１つが有する前記第４トランジスタのベースに前記入力信号の一部を出力する
請求項１記載の高周波電力増幅器。
【請求項３】
前記高周波通過回路は、前記バイアス回路に直列接続されるコンデンサで構成される
請求項１又は２記載の高周波電力増幅器。
【請求項４】
前記高周波通過回路は、前記バイアス回路に直列接続されるコンデンサと抵抗とで構成される
請求項１又は２記載の高周波電力増幅器。
【請求項５】
前記高周波通過回路は、前記バイアス回路に直列接続されるコンデンサと抵抗とインダクタとで構成される
請求項１又は２記載の高周波電力増幅器。
【請求項６】
請求項１〜５のいずれか１項に記載の高周波電力増幅器を備える
無線通信装置。
【発明の詳細な説明】
【技術分野】
【０００１】
本発明は、移動体通信の送受信に用いられる高周波電力増幅器に関し、特に、低歪を必要とする高周波電力増幅器に関するものである。
【背景技術】
【０００２】
近年、携帯電話などの移動体通信システムにおいては、伝送レートの大容量化および高速化を実現する無線通信が要求される。この大容量化および高速化を可能とするデジタル変調信号にＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式、ＨＳＵＰＡ（Ｈｉｇｈ  Ｓｐｅｅｄ  Ｕｐｌｉｎｋ  Ｐａｃｋｅｔ  Ａｃｃｅｓｓ）方式などが用いられるが、この変調信号においては、ピーク電圧の振幅は増大傾向にある。これらの移動体通信システムにおける携帯電話の実現のため、送信用に用いられる高周波電力増幅器には、より低歪かつ高効率な特性が強く要求されている。
【０００３】
また、高周波電力増幅器において、高効率と低歪とはトレードオフの関係にある。そこで、デジタル変調信号を増幅する高周波電力増幅器に必要とされる動作としては、入力信号の電力に対し、広いダイナミックレンジで利得の線形性を可能にすることで、低歪な信号を出力することである。
【０００４】
上記高周波電力増幅器の利得の線形性の問題を解決する手段として、以下に示す技術が特許文献１および特許文献２に開示されている。
【０００５】
特許文献１では、２段構成の高周波電力増幅器において、高周波電力増幅器の低歪動作を実現するために、前段のベースバイアス点を入力信号電力に対し、利得が減少するＡ級またはＡ級に近いＡＢ級に設定し、後段のベースバイアス点を入力電力に対し、利得が上昇するＢ級またはＢ級に近いＡＢ級に設定する。これにより、利得特性が、２段の高周波電力増幅器で入力信号電力に対し、一定となるようにしたものである。
【０００６】
また、特許文献２では、高周波電力増幅器において、電力増幅用トランジスタのベースとバイアス回路のエミッタフォロアトランジスタのベースとを交流的に接続するインピーダンス回路を設けている。これにより、増幅用トランジスタのベースとバイアス回路のエミッタフォロアトランジスタのエミッタとを同相させる。
【０００７】
このようにインピーダンス回路を設けることで、入力信号電力の増大によりバイアス回路のエミッタフォロアトランジスタのエミッタの電位が上昇しても、同時に生ずるベース電位の上昇によって、バイアス回路のエミッタフォロアトランジスタのベース−エミッタ間電圧の低下を回避することができる。これにより、ベース−エミッタ間にオン電圧Ｖｂｉが存在することに起因する電力増幅用トランジスタの利得低下が防止され、入力信号電力の増大時においても、利得の低下を抑制することができる。
【先行技術文献】
【特許文献】
【０００８】
【特許文献１】特開平１０−１３５７５０号公報
【特許文献２】特開平１０−７５１３０号公報
【発明の概要】
【発明が解決しようとする課題】
【０００９】
しかしながら、上記従来技術では、低アイドル電流で、かつ、低歪な高周波電力増幅器を実現することができないという課題がある。具体的には以下の通りである。
【００１０】
例えば、特許文献１では、前段または後段のいずれかの電力増幅用トランジスタを、小信号領域においてＡ級またはＡ級に近いＡＢ級に設定し動作するようにバイアスされているものである。このため、いずれかの増幅用トランジスタのコレクタに流れるアイドル電流を十分に高く設定しなければならず、小信号時において高周波電力増幅器の効率低下を引き起こすという課題を有していた。
【００１１】
また、特許文献２では、電力増幅用トランジスタを小信号領域においてＢ級またはＢ級に近いＡＢ級に設定した場合においては、入力信号電力の増大に伴って出力電流の振幅が増大し、この出力電流の振幅の増大によりコレクタ電流の直流成分が増大する。これにより、電力増幅用トランジスタの最大有能電力利得が上昇する。すなわち、この動作における入力信号電力に対する電力増幅用トランジスタの利得は、小信号時に最小利得となり、入力信号電力の増大に従って利得が上昇することとなる。つまり、電力増幅用トランジスタを、小信号領域において最小利得となるようなＢ級またはＢ級に近いＡＢ級に設定した場合においては、利得の線形性を悪化させてしまう。このため、低いアイドル電流で利得の線形性を保つことが困難であった。
【００１２】
そこで、本発明は、上記課題を解決するためになされたもので、低アイドル電流で、かつ、低歪な高周波電力増幅器および無線通信装置を提供することを目的とする。
【課題を解決するための手段】
【００１３】
上記従来の課題を解決するために、本発明に係る高周波電力増幅器は、入力信号を増幅する第１トランジスタと、前記第１トランジスタのベースに直流電流を供給するバイアス回路とを有する増幅回路と、前記入力信号の一部を通過させ、前記バイアス回路に出力する高周波通過回路とを備え、前記バイアス回路は、一端が第１電源に接続される第１抵抗と、ベースが前記第１抵抗の他端に接続され、コレクタが第２電源に接続され、エミッタが前記第１トランジスタのベースに接続され、前記直流電流を前記第１トランジスタのベースに供給する第２トランジスタと、ベースが前記第２トランジスタのベースに接続され、コレクタが前記第２電源に接続される第３トランジスタと、ベースが前記第３トランジスタのエミッタに接続され、コレクタが前記第３トランジスタのベースに接続され、エミッタが接地される第４トランジスタとを有し、前記高周波通過回路は、前記第４トランジスタのベースに前記入力信号の一部を出力する。
【００１４】
この構成によれば、電力増幅用である第１トランジスタに入力される高周波入力信号の一部を、高周波通過回路を介してバイアス回路に出力することにより、第１トランジスタにベース電流を供給する第２トランジスタのベース電位を入力信号電力の増大により低減させ、第１トランジスタに供給するベース電流を抑えることができる。これにより、小信号領域において、最小利得となるようなＢ級またはＢ級に近いＡＢ級に設定した場合において、入力信号電力の増大に対する利得上昇分を抑制し、低いアイドル電流においても、入力電力に対する利得を一定とすることが可能となり、低アイドル電流でかつ低歪な高周波電力増幅器を実現することができる。
【００１５】
また、前記高周波電力増幅器は、前段の出力を後段の入力とする多段構成を形成する複数の前記増幅回路を備え、前記高周波通過回路は、複数の前記増幅回路のうちの１つが有する前記第４トランジスタのベースに前記入力信号の一部を出力してもよい。
【００１６】
この構成によれば、多段構成を形成する増幅回路において、いずれかの段の増幅回路に含まれる第１トランジスタに入力される高周波入力信号の一部を、高周波通過回路を介してバイアス回路に出力することにより、第１トランジスタにベース電流を供給する第２トランジスタのベース電位を、入力信号電力の増大時に低減させ、第１トランジスタに供給するベース電流を抑えることができる。これにより、Ｂ級のような低いアイドル電流に設定した場合でも、Ａ級で動作させるような入力信号電力の増大に対し、利得が減少する動作をさせることができる。すなわち、その他の段の入力信号電力の増大に対する利得の合成が、入力信号電力の増大に対して上昇する動作に設定した場合においても、その利得上昇分を高周波通過回路が接続された段が相反するように設定すれば、複数段の全ての電力増幅用の第１トランジスタを低いアイドル電流で動作させた場合においても、入力電力に対する利得を一定とすることが可能となり、低アイドル電流でかつ低歪な高周波電力増幅器を実現することができる。
【００１７】
また、前記高周波通過回路は、前記バイアス回路に直列接続されるコンデンサで構成されてもよい。
【００１８】
これにより、コンデンサの容量値を調整することで、入力された高周波信号のうち高周波通過回路が通過させる信号の周波数成分を調整することができる。
【００１９】
また、前記高周波通過回路は、前記バイアス回路に直列接続されるコンデンサと抵抗とで構成されてもよい。
【００２０】
これにより、コンデンサの容量値を調整することで、入力された高周波信号のうち高周波通過回路が通過させる信号の周波数成分を調整することができる。さらに、抵抗の抵抗値を調整することで、通過電力量を調整することができる。
【００２１】
また、前記高周波通過回路は、前記バイアス回路に直列接続されるコンデンサと抵抗とインダクタとで構成されてもよい。
【００２２】
これにより、コンデンサの容量値とインダクタの自己インダクタンス値とを調整することで、所定の周波数成分を通過させることができる。さらに、抵抗の抵抗値を調整することで、通過電力量を調整することができる。
【００２３】
また、本発明は、上記の高周波電力増幅器を備える無線通信装置としても実現することができる。
【発明の効果】
【００２４】
本発明に係る高周波電力増幅器によれば、低アイドル電流でかつ低歪な高周波電力増幅器を実現することができる。
【図面の簡単な説明】
【００２５】
【図１】実施の形態１に係る高周波電力増幅器の一例を示す回路構成図である。
【図２】実施の形態１に係る高周波電力増幅器との比較例を示す回路構成図である。
【図３Ａ】実施の形態１に係る高周波通過回路の一例を示す回路構成図である。
【図３Ｂ】実施の形態１に係る高周波通過回路の一例を示す回路構成図である。
【図３Ｃ】実施の形態１に係る高周波通過回路の一例を示す回路構成図である。
【図４】実施の形態１に係る高周波電力増幅器とその比較例との入力信号に対する利得特性のシミュレーション結果を示す図である。
【図５】実施の形態２に係る高周波電力増幅器の一例を示す回路構成図である。
【図６】実施の形態２に係る高周波電力増幅器との比較例を示す回路構成図である。
【図７】実施の形態２に係る高周波電力増幅器とその比較例との入力信号に対する利得特性のシミュレーション結果を示す図である。
【図８】本発明に係る高周波電力増幅器を備える無線通信装置の一例である携帯電話を示す模式図である。
【発明を実施するための形態】
【００２６】
以下、本発明に係る高周波電力増幅器の実施の形態について、図面を参照しながら説明する。
【００２７】
（実施の形態１）
本実施の形態に係る高周波電力増幅器は、増幅用トランジスタとバイアス回路とを含む増幅回路を備え、増幅用トランジスタのベースとバイアス回路とは、入力された高周波信号の一部を通過させる高周波通過回路を介して接続されていることを特徴とする。
【００２８】
以下では、図１〜図４を参照しながら、本実施の形態に係る高周波電力増幅器について説明する。
【００２９】
図１は、本実施の形態に係る高周波電力増幅器１０の一例を示す回路構成図である。図２は、本実施の形態に係る高周波電力増幅器１０の比較例を示す回路構成図である。図３Ａ〜図３Ｃは、本実施の形態に係る高周波通過回路の一例を示す回路構成図である。図４は、本実施の形態に係る高周波電力増幅器１０とその比較例との入力信号電力に対する利得特性のシミュレーション結果を示す図である。
【００３０】
図１に示すように、高周波電力増幅器１０は、入力された高周波信号を増幅して出力する装置であって、増幅用トランジスタＱ１１と、入力端子１１と、出力端子１２と、入力整合回路１３と、出力整合回路１４と、バイアス回路１５と、高周波通過回路１６と、バイアス抵抗Ｒ１１とを備える。なお、本実施の形態において増幅回路とは、増幅用トランジスタＱ１１とバイアス回路１５とを含む回路のことである。
【００３１】
入力端子１１は、入力信号の一例である高周波信号が入力される端子であって、入力整合回路１３を介して増幅用トランジスタＱ１１のベースに接続される。入力整合回路１３は、入力端子１１側のインピーダンスと、増幅用トランジスタＱ１１のインピーダンスとの整合を行う回路である。
【００３２】
増幅用トランジスタＱ１１は、入力端子１１および入力整合回路１３を介して入力される高周波信号を増幅するバイポーラトランジスタである。増幅用トランジスタＱ１１のエミッタは接地され、ベースは入力整合回路１３を介して入力端子１１に接続され、コレクタは電源電圧端子Ｖｃｃと接続される。さらに、増幅用トランジスタＱ１１のコレクタは、出力整合回路１４を介して出力端子１２に接続される。
【００３３】
出力端子１２は、増幅用トランジスタＱ１１によって増幅された高周波信号を出力する端子であって、出力整合回路１４を介して増幅用トランジスタＱ１１のコレクタに接続される。出力整合回路１４は、増幅用トランジスタＱ１１のインピーダンスと出力端子１２側のインピーダンスとの整合を行う回路である。
【００３４】
バイアス回路１５は、増幅用トランジスタＱ１１のバイアスを制御する回路の一例である。バイアス回路１５は、バイアス抵抗Ｒ１１を介して増幅用トランジスタＱ１１のベースに接続され、また、電源電圧端子Ｖｂｂと電源電圧端子Ｖｃｃとはバイアス回路１５に接続される。さらに、バイアス回路１５は、高周波通過回路１６と入力整合回路１３とを介して入力端子１１に接続される。図１に示すように、バイアス回路１５は、トランジスタＱ２１と、トランジスタＱ２２と、トランジスタＱ２３と、コンデンサＣ２１と、抵抗Ｒ２１と、抵抗Ｒ２２と、抵抗Ｒ２３とを備える。
【００３５】
トランジスタＱ２１は、増幅用トランジスタＱ１１のベースに電流を供給するためのエミッタフォロア回路を構成するトランジスタである。トランジスタＱ２１のエミッタは、バイアス抵抗Ｒ１１に接続されるとともに抵抗Ｒ２１を介して接地される。トランジスタＱ２１のコレクタは、電源電圧端子Ｖｃｃに接続され、ベースは、トランジスタＱ２３のベースおよびトランジスタＱ２２のコレクタに接続されるとともに抵抗Ｒ２３を介して電源電圧端子Ｖｂｂと接続される。さらに、トランジスタＱ２１のベースは、他端が接地されたコンデンサＣ２１の一端に接続される。なお、コンデンサＣ２１は、トランジスタＱ２１のベースに流れる高周波信号を吸収し安定動作させる機能を有する。
【００３６】
トランジスタＱ２２のコレクタは、トランジスタＱ２１のベースおよびトランジスタＱ２３のベースに接続される。トランジスタＱ２２のエミッタは接地され、ベースはトランジスタＱ２３のエミッタと高周波通過回路１６とに接続される。また、トランジスタＱ２２のベースは、抵抗Ｒ２２を介して接地される。
【００３７】
トランジスタＱ２３のコレクタは、電源電圧端子Ｖｃｃに接続され、エミッタは、トランジスタＱ２２のベースに接続されるとともに抵抗Ｒ２２を介して接地される。また、トランジスタＱ２３のベースは、トランジスタＱ２１のベースおよびトランジスタＱ２２のコレクタに接続されるとともに抵抗Ｒ２３を介して電源電圧端子Ｖｂｂに接続される。
【００３８】
高周波通過回路１６は、入力端子１１より入力される高周波信号の一部を通過させる回路であり、増幅用トランジスタＱ１１のベースと、トランジスタＱ２２のベースとの間に接続されている。高周波通過回路１６は、図１に示すように、通過させた高周波信号の一部をトランジスタＱ２２のベースに出力する。
【００３９】
バイアス抵抗Ｒ１１は、トランジスタＱ２１のエミッタから増幅用トランジスタＱ１１のベースへ供給する電流量を調整する機能を有する。なお、高周波電力増幅器１０は、バイアス抵抗Ｒ１１を備えなくてもよい。
【００４０】
次に、高周波通過回路１６の具体的な回路構成について図３Ａ〜図３Ｃを用いて説明する。図３Ａ〜図３Ｃには、本実施の形態に係る高周波通過回路１６の一例である高周波通過回路１６ａ、１６ｂおよび１６ｃを示す。
【００４１】
例えば、図３Ａに示すように、高周波通過回路１６ａは、コンデンサＣ３１を備える。コンデンサＣ３１は、バイアス回路１５と増幅用トランジスタＱ１１のベースとの間に直列接続されている。
【００４２】
この構成により、コンデンサＣ３１の容量値を調整することで、トランジスタＱ２２に入力する信号、すなわち、入力端子１１から入力された高周波信号のうち高周波通過回路１６が通過させる信号の周波数成分を調整することができる。例えば、コンデンサＣ３１の容量値を大きくすることで、高周波成分だけでなく、低い周波数成分の信号も通過させることができる。逆に、コンデンサＣ３１の容量値を小さくすることで、より高い周波数成分の信号を通過させることができる。
【００４３】
また、図３Ｂに示すように、高周波通過回路１６ｂは、互いに直列接続されたコンデンサＣ３１と抵抗Ｒ３１とを備える。コンデンサＣ３１と抵抗Ｒ３１とは、バイアス回路１５と増幅用トランジスタＱ１１のベースとの間に直列接続されている。
【００４４】
この構成により、図３Ａに示す高周波通過回路１６ａと同様に、トランジスタＱ２２に入力する信号の周波数成分をコンデンサＣ３１の容量値によって調整することができる。さらに、抵抗Ｒ３１の抵抗値を調整することで、通過電力量を調整することができる。例えば、抵抗Ｒ３１の抵抗値を大きくすることで抵抗Ｒ３１によって消費される電力量が大きくなるので、通過電力量を小さくすることができる。また、逆に、抵抗Ｒ３１の抵抗値を小さくすることで、通過電力量を大きくすることができる。
【００４５】
また、図３Ｃに示すように、高周波通過回路１６ｃは、互いに直列接続されたコンデンサＣ３１と抵抗Ｒ３１とインダクタＬ３１とを備える。コンデンサＣ３１と抵抗Ｒ３１とインダクタＬ３１とは、バイアス回路１５と増幅用トランジスタＱ１１のベースとの間に直列接続されている。
【００４６】
この構成により、コンデンサＣ３１の容量値とインダクタＬ３１の自己インダクタンス値とを調整することで、所定の周波数成分を通過させることができる。したがって、トランジスタＱ２２に入力する信号の周波数成分を調整することができる。また、図３Ｂに示す高周波通過回路１６ｂと同様に、抵抗Ｒ３１の抵抗値を調整することで、通過電力量を調整することができる。
【００４７】
以上のように、増幅用トランジスタＱ１１のアイドル電流を低くし、小信号領域においてＢ級またはＢ級に近いＡＢ級に設定した場合における、入力信号電力の増大による増幅用トランジスタＱ１１の利得の上昇を、高周波通過回路１６を構成する回路素子の値によって適切に調整することができる。例えば、図３Ｂに示す高周波通過回路１６ｂでは、コンデンサＣ３１の容量値と抵抗Ｒ３１の抵抗値とによって、増幅用トランジスタＱ１１の利得の上昇を適切に調整することができ、任意の周波数に対する増幅用トランジスタＱ１１の利得を入力信号電力の増大に対して一定にすることが可能となる。
【００４８】
以上に示すように、本実施の形態の高周波電力増幅器１０においては、増幅用トランジスタＱ１１のベースとバイアス回路１５が備えるトランジスタＱ２２のベースとは、入力端子１１より入力される高周波信号の一部を通過させる高周波通過回路１６を介して接続されていることを特徴とする。
【００４９】
この効果としては、入力信号の電力が増大するとともに、トランジスタＱ２２のベースに入力される高周波信号も増大され、トランジスタＱ２２のコレクタに流れる電流の直流成分が増大する。これにより、抵抗Ｒ２３での電圧降下は大きくなり、増幅用トランジスタＱ１１のベースに電流を供給するためのトランジスタＱ２１のベース電位は低下する。このようにベース電位が低下することで、ベース−エミッタ間電圧の上昇を抑えることができるので、増幅用トランジスタＱ１１へのベース電流の供給を抑制することができる。
【００５０】
つまり、増幅用トランジスタＱ１１のアイドル電流を低くし、小信号領域においてＢ級またはＢ級に近いＡＢ級に設定した場合における、入力信号電力の増大による増幅用トランジスタＱ１１の利得の上昇を抑えることができる。したがって、図４に示すように増幅用トランジスタＱ１１の利得を入力信号電力の増大に対して一定にすることが可能となる。
【００５１】
以下では、図２に示す高周波電力増幅器２０を比較例として、本実施の形態に係る高周波電力増幅器１０の効果について説明する。
【００５２】
図２に示す本実施の形態に係る比較例としての高周波電力増幅器２０は、図１に示した高周波電力増幅器１０において、増幅用トランジスタＱ１１とバイアス回路１５との間に高周波通過回路１６が挿入されていない回路である。その他の構成は同一により、以下では説明を省略する。
【００５３】
図２に示す比較例である高周波電力増幅器２０において、増幅用トランジスタＱ１１を低いアイドル電流に設定し、小信号領域においてＢ級またはＢ級に近いＡＢ級に設定した場合においては、増幅用トランジスタＱ１１に入力される入力信号電力の増大による出力電流振幅の増大によりコレクタ電流の直流成分が増大する。これにより、図４に示すように、増幅用トランジスタＱ１１の利得が入力電力に対し増大し、比較例では増幅用トランジスタＱ１１の利得は入力信号に対して一定でない。
【００５４】
以上のように、本実施の形態に係る高周波電力増幅器１０によれば、低いアイドル電流で利得の線形性を保つことができ、高効率かつ低歪な高周波電力増幅器を実現することができる。
（実施の形態２）
本実施の形態に係る高周波電力増幅器は、前段の出力を後段の入力とする多段構成を形成し、増幅用トランジスタとバイアス回路とを含む複数の増幅回路を備え、高周波通過回路は、複数の増幅回路のうちの１つに入力信号の一部を入力することを特徴とする。
【００５５】
以下では、図５〜図７を参照しながら、本実施の形態に係る高周波電力増幅器について説明する。
【００５６】
図５は、本実施の形態に係る高周波電力増幅器４０の一例を示す回路構成図である。図６は、本実施の形態に係る高周波電力増幅器４０の比較例を示す回路構成図である。図７は、本実施の形態に係る高周波電力増幅器４０とその比較例との入力信号電力に対する利得特性のシミュレーション結果を示す図である。
【００５７】
図５に示すように、高周波電力増幅器４０には、実施の形態１の高周波電力増幅器１０にさらに、増幅用トランジスタＱ４１と、バイアス回路４５と、バイアス抵抗Ｒ４１と、段間整合回路４３とが追加されている。増幅用トランジスタＱ１１は、初段増幅用として用いられ、増幅用トランジスタＱ４１は、後段増幅用として用いられる。以下では、実施の形態１と同じ構成については説明を省略し、異なる点を中心に説明する。
【００５８】
なお、本実施の形態に係る高周波電力増幅器４０は、２段の増幅回路を備え、前段（初段）の増幅回路は、増幅用トランジスタＱ１１とバイアス回路１５とを備え、後段の増幅回路は、増幅用トランジスタＱ４１とバイアス回路４５とを備える。前段の増幅回路の出力である増幅用トランジスタＱ１１の出力が、段間整合回路４３を介して、後段の増幅回路の入力として増幅用トランジスタＱ４１に入力される。
【００５９】
増幅用トランジスタＱ１１のコレクタは、電源電圧端子Ｖｃｃと接続されるとともに、段間整合回路４３を介して増幅用トランジスタＱ４１のベースに接続される。なお、段間整合回路４３は、増幅用トランジスタＱ１１のインピーダンスと増幅用トランジスタＱ４１のインピーダンスとの整合を行う回路である。
【００６０】
増幅用トランジスタＱ４１は、増幅用トランジスタＱ１１によって増幅された高周波信号を増幅するバイポーラトランジスタである。増幅用トランジスタＱ４１のエミッタは接地され、ベースは、段間整合回路４３を介して増幅用トランジスタＱ１１のコレクタに接続される。さらに、増幅用トランジスタＱ４１のコレクタは、電源電圧端子Ｖｃｃと接続されるとともに、出力整合回路１４を介して出力端子１２に接続される。
【００６１】
バイアス回路４５は、増幅用トランジスタＱ４１のバイアスを制御する回路の一例である。バイアス回路４５は、バイアス抵抗Ｒ４１を介して増幅用トランジスタＱ４１のベースに接続される。図５に示すように、バイアス回路４５は、トランジスタＱ５１と、トランジスタＱ５２と、トランジスタＱ５３と、コンデンサＣ５１と、抵抗Ｒ５１と、抵抗Ｒ５２と、抵抗Ｒ５３とを備える。
【００６２】
なお、バイアス回路４５は、実施の形態１のバイアス回路１５とほぼ同じ回路構成である。具体的には、トランジスタＱ５１と、トランジスタＱ５２と、トランジスタＱ５３と、コンデンサＣ５１と、抵抗Ｒ５１と、抵抗Ｒ５２と、抵抗Ｒ５３とはそれぞれ、図１に示すトランジスタＱ２１と、トランジスタＱ２２と、トランジスタＱ２３と、コンデンサＣ２１と、抵抗Ｒ２１と、抵抗Ｒ２２と、抵抗Ｒ２３とに相当する。トランジスタＱ５２のベース、トランジスタＱ５３のエミッタおよび抵抗Ｒ５２に高周波通過回路１６が接続されていない点のみが異なっている。
【００６３】
バイアス抵抗Ｒ４１は、トランジスタＱ５１のエミッタから増幅用トランジスタＱ４１のベースへ供給する電流量を調整する機能を有する。なお、高周波電力増幅器４０は、バイアス抵抗Ｒ４１を備えなくてもよい。
【００６４】
以上に示すように、本実施の形態の高周波電力増幅器４０においては、増幅用トランジスタＱ１１のベースとバイアス回路１５が備えるトランジスタＱ２２のベースとは、入力端子１１より入力される高周波信号の一部を通過させる高周波通過回路１６を介して接続されていることを特徴とする。
【００６５】
この効果としては、入力信号の電力が増大するとともに、トランジスタＱ２２のベースに入力される高周波信号も増大され、トランジスタＱ２２のコレクタに流れる電流の直流成分が増大する。これにより、抵抗Ｒ２３での電圧降下は大きくなり、増幅用トランジスタＱ１１のベースに電流を供給するためのトランジスタＱ２１のベース電位は低下する。このようにベース電位が低下することで、ベース−エミッタ間電圧の上昇を抑えることができるので、増幅用トランジスタＱ１１へのベース電流の供給を抑制することができる。
【００６６】
つまり、増幅用トランジスタＱ１１のアイドル電流と増幅用トランジスタＱ４１のアイドル電流とを低くし、小信号領域においてＢ級またはＢ級に近いＡＢ級に設定した場合においては、後段の増幅用トランジスタＱ４１の利得は入力信号電力の増大により増加する傾向にある。しかしながら、この利得上昇分を、高周波通過回路１６を備える初段の増幅用トランジスタＱ１１が相反するように設定すれば、２段の増幅用トランジスタを備える高周波電力増幅器４０において、２段とも低いアイドル電流で動作させた場合においても、入力電力に対する利得を一定とすることが可能となる。
【００６７】
以下では、図６に示す高周波電力増幅器５０を比較例として、本実施の形態に係る高周波電力増幅器４０の効果について説明する。
【００６８】
図６に示す本実施の形態に係る比較例としての高周波電力増幅器５０は、図５に示した高周波電力増幅器４０において、増幅用トランジスタＱ１１とバイアス回路１５との間に高周波通過回路１６が挿入されていない回路である。その他の構成は同一により、以下では説明を省略する。
【００６９】
図６に示す比較例である高周波電力増幅器５０において、増幅用トランジスタＱ１１と増幅用トランジスタＱ４１とを低いアイドル電流に設定し、小信号領域においてＢ級またはＢ級に近いＡＢ級に設定した場合においては、図７に示すように、２段の高周波電力増幅器において、利得は入力信号に対して一定でない。
【００７０】
以上のように、本実施の形態に係る高周波電力増幅器４０によれば、低いアイドル電流で利得の線形性を保つことができ、高効率かつ低歪な高周波電力増幅器を実現することができる。
【００７１】
以上、本発明に係る高周波電力増幅器について、実施の形態に基づいて説明したが、本発明は、これらの実施の形態に限定されるものではない。本発明の趣旨を逸脱しない限り、当業者が思いつく各種変形を当該実施の形態に施したものや、異なる実施の形態における構成要素を組み合わせて構築される形態も、本発明の範囲内に含まれる。
【００７２】
例えば、実施の形態２では、高周波電力増幅器が２段の増幅用トランジスタを備える構成について説明したが、本発明に係る高周波電力増幅器は、複数段の増幅用トランジスタを備える構成でもよい。具体的には、高周波電力増幅器は、図１に示すバイアス回路１５と増幅用トランジスタＱ１１とを備える増幅回路を複数備え、前段の増幅回路の出力を後段の増幅回路の入力とする多段構成を形成してもよい。このとき、いずれかのバイアス回路に高周波通過回路１６が接続されていればよい。
【００７３】
また、本発明は、上記の高周波電力増幅器を備える無線通信装置としても実現することができる。例えば、図８に示すような携帯電話６０として実現してもよい。
【産業上の利用可能性】
【００７４】
本発明に係る高周波電力増幅器は、高効率かつ低歪で小型化が可能であるという効果を奏し、例えば、無線通信装置などに利用することができる。
【符号の説明】
【００７５】
１０、２０、４０、５０  高周波電力増幅器
１１  入力端子
１２  出力端子
１３  入力整合回路
１４  出力整合回路
１５、４５  バイアス回路
１６、１６ａ、１６ｂ、１６ｃ  高周波通過回路
４３  段間整合回路
Ｃ２１、Ｃ３１、Ｃ５１  コンデンサ
Ｌ３１  インダクタ
Ｑ１１、Ｑ４１  増幅用トランジスタ
Ｑ２１、Ｑ２２、Ｑ２３、Ｑ５１、Ｑ５２、Ｑ５３  トランジスタ
Ｒ１１、Ｒ４１  バイアス抵抗
Ｒ２１、Ｒ２２、Ｒ２３、Ｒ３１、Ｒ５１、Ｒ５２、Ｒ５３  抵抗
【図１】
2011004174.tif 000003
【図２】
2011004174.tif 000004
【図３Ａ】
2011004174.tif 000005
【図３Ｂ】
2011004174.tif 000006
【図３Ｃ】
2011004174.tif 000007
【図４】
2011004174.tif 000008
【図５】
2011004174.tif 000009
【図６】
2011004174.tif 000010
【図７】
2011004174.tif 000011
【図８】
2011004174.tif 000012